(57)【要約】【課題】スピーカ２０の入力インピーダンス切替器３０の小型化及びヒューズ設置場所の確保を図る。【解決手段】切替器３０は、スピーカ側端子列４２、アンプ側端子列４３及び装着部列４６を備える。端子列４２の端子ＶＣ１±，ＶＣ２±はボイスコイルＶＣ１，ＶＣ２の両端へ接続される。端子列４３の各端子Ａ１±，Ａ２±は、バイアンプ接続、直列接続又は並列接続に応じてオーディオアンプＡＭＰの出力線を切替えて接続される。装着部列４６はヒューズ３２の短手方向へ一列の装着部４７〜５０を備える。装着部４７，５０へのヒューズ３２の装着によりバイアンプ接続が達成され、装着部４９，５０へのヒューズ３２の装着により直列接続が達成され（ただし、装着部５０のヒューズ３２は無電流状態）、装着部４７，４８へのヒューズ３２の装着により並列接続が達成されるように、配線５４は、端子列４３，４４，装着部列４６の各端子を接続している。【選択図】図５
2008109222.tif 000002
【特許請求の範囲】
【請求項１】
スピーカの２個のボイスコイルの各端子へそれぞれ接続されている複数のスピーカ側端子、
前記ボイスコイルのバイアンプ接続、直列接続及び並列接続に応じてオーディオアンプの各出力線が接続される複数のアンプ側端子、
各装着部が接続導体を着脱自在であり全装着部の全端子は相互に離れた位置とされつつ各装着部が接続導体の短手方向へ一列に配列されている装着部列、及び
前記ボイスコイルのバイアンプ接続、直列接続及び並列接続が、１個以上の接続導体を各接続に対応する装着部へ装着することにより、切り替わるように、前記装着部列の端子、前記スピーカ側端子及び前記アンプ側端子の間を接続している配線回路、
を有していることを特徴とするスピーカ用入力インピーダンス切替装置。
【請求項２】
前記配線回路は、前記ボイスコイルの前記バイアンプ接続、前記直列接続及び前記並列接続を前記装着部列へのそれぞれ２個、１個及び２個の接続導体の装着により達成する配線回路となっているとともに、前記ボイスコイルの前記直列接続時では、別の１個の装着部が、それへの接続導体の装着にもかかわらず、装着接続導体が無電流状態に維持される配線回路となっていることを特徴とする請求項１記載のスピーカ用入力インピーダンス切替装置。
【請求項３】
前記装着部列は計４個の装着部から成り、
前記配線回路は、ボイスコイルの前記バイアンプ接続及び前記並列接続達成のために接続導体を装着する２個の装着部を除く他の２個の装着部が、及びボイスコイルの前記直列接続達成のために接続導体を装着する１個の装着部と装着しても接続導体が無電流状態に維持される１個の装着部とを除く他の２個の装着部が、前記装着部列における連続２個の装着部としての非装着列部分となる配線回路となっており、
覆い部材が、前記非装着列部分を覆うように、装着されていることを特徴とする請求項２記載のスピーカ用入力インピーダンス切替装置。
【請求項４】
前記配線回路は、前記ボイスコイルの前記バイアンプ接続の場合には、接続導体を装着する２個の装着部を、前記装着部列一端側から１番目及び４番目の装着部とし、前記ボイスコイルの前記並列接続の場合には、接続導体を装着する２個の装着部を、前記装着部列一端側から１番目及び２番目の装着部とし、前記ボイスコイルの直列接続の場合には、接続導体を装着する１個の装着部と装着しても接続導体が無電流状態に維持される装着部とを、前記装着部列一端側から３番目及び４番目の装着部の内の一方及び他方とする配線回路となっていることを特徴とする請求項２又は３記載のスピーカ用入力インピーダンス切替装置。
【請求項５】
前記接続導体はヒューズ又はジャンパ線であることを特徴とする請求項１〜４のいずれかに記載のスピーカ用入力インピーダンス切替装置。
【発明の詳細な説明】
【技術分野】
【０００１】
本発明は、２個のボイスコイルを装備するスピーカの入力インピーダンスの切替装置に関し、詳しくはヒューズ等の接続導体の装着箇所の変更によりスピーカの入力インピーダンスを切り替えることができる切替装置に関する。
【背景技術】
【０００２】
特許文献１は、スピーカの２個のボイスコイルの各±端子への接続を変更せずに、ジャンパ線又はヒューズ（以下、「ジャンパ線」及び「ヒューズ」を総称して「接続導体」という。）の着脱によりスピーカの入力インピーダンスを適宜、切り替えることができるスピーカ用入力インピーダンス切替装置を開示する。すなわち、単位長さ（特許文献１の図８及び図９のＬ）の接続導体を着脱自在に装着できる溝（特許文献１の図４Ｂのｃｈａｎｎｅｌ２６）を形成し、２個のボイスコイルをバイアンプ接続で使用する場合には、特許文献１の図５に示されるように、接続導体を外し、また、２個のボイスコイルを直列接続で使用する場合には、特許文献１の図６に示されるように、１個の接続導体（特許文献１の図６の符号３６）を溝の長手方向中央のＣ２−とＣ１＋との間に装着し、さらに、２個のボイスコイルを並列接続で使用する場合には、特許文献１の図７に示されるように、２個の接続導体（特許文献１の図７の符号３６）を溝長手方向の左端側のＣ１−とＣ２−との間、及び右端側のＣ１＋とＣ２＋との間に装着する。
【特許文献１】米国特許出願公開２００４／１９６９８７号公報
【発明の開示】
【発明が解決しようとする課題】
【０００３】
特許文献１のスピーカ用入力インピーダンス切替装置の問題点は次のとおりである。
【０００４】
（ａ）溝は、アンプ側端子Ａ１−，Ａ２−，Ａ１＋，Ａ２＋とコイル側端子Ｃ１−，Ｃ２−，Ｃ１＋，Ｃ２＋とを相互に接続する導体棒（特許文献１の図４の符号２０）の短手方向へ延びる必要があり、結果、隣接導体棒の間隔は１個の接続導体の長さ分、確保しなければならないので、かつ溝は導体棒の長手方向へ延ばされるので、導体棒列の列方向長さ及び溝の長さが増大し、これがスピーカ用入力インピーダンス切替装置の小型化に支障を与えている。
【０００５】
（ｂ）ボイスコイルをバイアンプ（ＢＩ−ＡＭＰ）接続で使用する場合には、接続導体は溝からすべて外す必要があるので、溝内の接続導体をヒューズに置き換えることは困難であり、ボイスコイルへの過電流防止のためのヒューズは溝とは別の箇所に確保する必要があり、不利である。
【０００６】
（ｃ）バイアンプ接続、直列接続及び並列接続のそれぞれにおいて、溝に装着する接続導体の個数が異なり、使用しない接続導体は、ユーザが別の場所に保管する必要があり、接続導体の保管が煩雑となるとともに、接続導体の紛失が起き易い。
【０００７】
（ｄ）接続導体の誤装着を防止するために、装着を阻止する溝部位に覆いを着けるとするならば、バイアンプ接続の場合には、溝全体を覆う長い覆いを１個、直列接続の場合には、溝の左右の端部にそれぞれ短い覆いを１個ずつ、また、並列接続の場合には、覆い無しとする必要があり、覆いの個数が増大するとともに、不使用の覆いの保管が煩雑となり、また、覆いを紛失し易い。
【０００８】
本発明の目的は、上述の各問題点を克服できるスピーカ用入力インピーダンス切替装置を提供することである。
【課題を解決するための手段】
【０００９】
本発明のスピーカ用入力インピーダンス切替装置は、接続導体を装着する装着部が接続導体の短手方向へ一列に配列される。また、装着部列の全端子は、相互に重なることなく、相互に離れた位置とされ、配線回路は、ボイスコイルのバイアンプ接続、直列接続及び並列接続が、１個以上の接続導体を各接続に対応する装着部へ装着することにより、切り替わるように、装着部列の端子、スピーカ側端子及びアンプ側端子の間を接続している。
【００１０】
すなわち、本発明のスピーカ用入力インピーダンス切替装置は次のものを有している。
スピーカの２個のボイスコイルの各端子へそれぞれ接続されている複数のスピーカ側端子、
ボイスコイルのバイアンプ接続、直列接続及び並列接続に応じてオーディオアンプの各出力線が接続される複数のアンプ側端子、
各装着部が接続導体を着脱自在であり全装着部の全端子は相互に離れた位置とされつつ各装着部が接続導体の短手方向へ一列に配列されている装着部列、及び
ボイスコイルのバイアンプ接続、直列接続及び並列接続が、１個以上の接続導体を各接続に対応する装着部へ装着することにより、切り替わるように、装着部列の端子、スピーカ側端子及びアンプ側端子の間を接続している配線回路。
【発明の効果】
【００１１】
本発明によれば、接続導体を装着する装着部が接続導体の短手方向へ一列に配列される結果、装着部列のスペースが縮小され、さらには、スピーカ用入力インピーダンス切替装置の小型化が図られる。また、スピーカ用入力インピーダンス切替装置の配線回路は、ボイスコイルのバイアンプ接続、直列接続及び並列接続が、１個以上の接続導体を各接続に対応する装着部へ装着することにより、切り替わるように、装着部列の端子、スピーカ側端子及びアンプ側端子の間を接続しているので、接続導体としてヒューズを採用した場合には、ボイスコイルのバイアンプ接続、直列接続及び並列接続のすべてに対して装着部列をヒューズ設置場所として利用することができる。すなわち、装着部列とは別の場所にヒューズ設置場所を確保する手間を省略できる。
【発明を実施するための最良の形態】
【００１２】
図１はボビン１０の概略斜視図である。ボイスコイルＶＣ１及びボイスコイルＶＣ２は、ボビン１０の軸方向へ離れた部位においてボビン１０の側面に巻き着けられている。リード線１４，１５は、ボイスコイルＶＣ１の巻回部からボビン１０の軸方向へ延び出して、ボビン１０の頂面１１へ到達している。リード線１７，１８は、ボイスコイルＶＣ２の巻回部からボビン１０の軸方向へ延び出して、ボビン１０の頂面１１へ到達している。
【００１３】
図２はボビン１０を含むスピーカ２０の概略断面図である。スピーカコーン２７は、スピーカバスケット２４に対して同軸的に配置されるとともに、その大径側周辺部をスピーカバスケット２４の前面開口よりわずかに前方へ隆起させつつ、スピーカバスケット２４の前面部の周縁部に固着され、小径側端部をスピーカバスケット２４内の十分な深さまで進入させている。
【００１４】
ボビン１０は、前端部周縁をスピーカコーン２７の小径側端部に嵌挿、固着され、該小径側端部と一体的にスピーカ２０の軸方向へ変位する。円筒状の磁石２５は、後面側をスピーカバスケット２４の内面側端面に固定され、前端開口側からボビン１０の後端部を相対変位自在に内側へ挿入されている。
【００１５】
入力インピーダンス切替器３０は、スピーカバスケット２４の外面側に配設され、そのＣ１＋，Ｃ１−，Ｃ２＋，Ｃ２−へはリード線１４，１５，１７，１８の端をそれぞれ接続されている。入力インピーダンス切替器３０のＡ１＋，Ａ１−，Ａ２＋，Ａ２−は、オーディオアンプＡＭＰ１，２（図７〜図９）からのケーブルを分離自在に接続される。
【００１６】
図３はヒューズ３２の斜視図である。ヒューズ３２は入力インピーダンス切替器３０に挿抜自在に装着される。ヒューズ３２は、ヒューズ本体３３と、ヒューズ本体３３の長手方向両端部から突出する２個の脚３４とを有している。脚３４はヒューズ３２の端子として作用する。Ｌ，Ｓはそれぞれヒューズ本体３３の長手方向及び短手方向の寸法である。
【００１７】
図４はジャンパ線３６の斜視図である。ジャンパ線３６は、入力インピーダンス切替器３０に装着され、この例では円柱状である。Ｌ，Ｓはそれぞれジャンパ線３６の長手方向及び短手方向の寸法である。ヒューズ本体３３のＬ，Ｓの長さと、ジャンパ線３６のＬ，Ｓの長さとは同一となっている。
【００１８】
すなわち、入力インピーダンス切替器３０には、図３のヒューズ３２を装着することができるし、ヒューズ３２の代わりに図４のジャンパ線３６を装着することもできる。図３のヒューズ３２が装着された場合には、ヒューズ３２がボイスコイルＶＣ１，ＶＣ２の過電流防止対策となる。
【００１９】
図５は入力インピーダンス切替器３０における内外の配線状態を示す図である。入力インピーダンス切替器３０はプリント回路基板４１を有し、スピーカ側端子列４２及びアンプ側端子列４３が、プリント回路基板４１のスピーカ側及び反スピーカ側の側縁部に配設される。スピーカ側端子列４２は、プリント回路基板４１の側縁に沿って等間隔に一列に配列された４個の端子ＶＣ１＋，ＶＣ１−，ＶＣ２＋，ＶＣ２−を備える。スピーカ側端子列４２の端子ＶＣ１＋，ＶＣ１−，ＶＣ２＋，ＶＣ２−は、スピーカ２０のボイスコイルＶＣ１，ＶＣ２からのリード線１４，１５，１７，１８の端をそれぞれ接続される。
【００２０】
アンプ側端子列４３は、プリント回路基板４１の側縁に沿って等間隔に一列に配列された４個の端子Ａ１＋，Ａ１−，Ａ２＋，Ａ２−を備える。アンプ側端子列４３の端子Ａ１＋，Ａ１−，Ａ２＋，Ａ２−へは、オーディオアンプＡＭＰ１，２（図７〜図９）からのケーブルを分離自在に接続される。
【００２１】
装着部列４６は、スピーカ側端子列４２とアンプ側端子列４３との中間部に配置され、４個の装着部４７，４８，４９，５０を備える。これら装着部４７，４８，４９，５０は、スピーカ側端子列４２及びアンプ側端子列４３の列方向へ平行に一列に配列されている。装着部４７，４８，４９，５０は、それぞれ端子４７ａ，４７ｂの対、端子４８ａ，４８ｂの対、端子４９ａ，４９ｂの対、及び端子５０ａ，５０ｂの対を備えている。装着部列４６の装着部４７，４８，４９，５０は、それらに装着されるヒューズ３２等の短手方向へ一列の配列となっている。
【００２２】
装着部列４６におけるヒューズ３２の装着に適合させるためには、装着部列４６の各端子は、ヒューズ３２の板状の脚３４を挿抜自在なソケット構造にされる。また、ジャンパ線３６の装着に適合させるためには、装着部列４６の各対の端子は、円柱状のジャンパ線３６の端部部分を内側に受け入れて弾性的に挟着するソケット構造にされる。
【００２３】
配線５４は、プリント回路基板４１上に金属蒸着により生成された膜から成り、端子ＶＣ１＋，ＶＣ１−，ＶＣ２＋，ＶＣ２−，Ａ１＋，Ａ１−，Ａ２＋，Ａ２−，４７ａ，４７ｂ，４８ａ，４８ｂ，４９ａ，４９ｂ，５０ａ，５０ｂに所定の接続関係を付与している。配線５４による接続関係を詳述する。
【００２４】
端子Ａ１＋は端子ＶＣ１＋，４８ｂへ接続されている。端子Ａ１−は端子４７ａ，Ａ２−，ＶＣ２−へ接続されている。端子Ａ２＋は、端子５０ａへ接続されている。
【００２５】
端子４８ａは、端子４９ａ，５０ｂ，ＶＣ２＋へ接続されている。端子４７ｂは、端子ＶＣ１−，４９ｂへ接続されている。
【００２６】
装着部４７，４８，４９，５０がヒューズ３２の短手方向へ一列に並んでいる結果、それらが長手方向へ並んでいる場合よりも、装着部列４６が小型化され、これは入力インピーダンス切替器３０の小型化に寄与する。
【００２７】
図６は入力インピーダンス切替器３０の正面図である。装着部４７，４８，４９，５０が、それらに装着するヒューズ３２の短手方向へ一列に並び、装着部領域５９内に配設される。装着部領域５９の縦×横寸法は、４Ｓ×Ｌ（Ｓ，Ｌは図３及び図４で定義しているもの。）となっている。
【００２８】
図示している装着部領域５９は、円柱体状のジャンパ線３６（図４）ではなく、ヒューズ３２（図３）の装着に適合しており、装着部領域５９の装着部４７，４８，４９，５０は、ヒューズ３２の平板状脚３４を挿抜されるスリット状挿入孔５８を左右に有している。装着部領域５９には、２Ｓ×Ｌの覆い板７０（図７〜図９）が装着部列４６の列方向位置を調整自在に装着されるようになっている。なお、覆い板７０は、装着部領域５９の縦方向へ摺動する摺動式のものであっても、着脱自在のものであってもよい。
【００２９】
入力インピーダンス切替器３０の端子ＶＣ１＋，ＶＣ１−，ＶＣ２＋，ＶＣ２−は、前述したように、ボイスコイルＶＣ１，ＶＣ２の端子ＶＣ１＋，ＶＣ１−，ＶＣ２＋，ＶＣ２−へ固定的にそれぞれ接続されている。入力インピーダンス切替器３０のＡ１＋，Ａ１−，Ａ２＋，Ａ２−には、ナット５７が配備され、オーディオアンプＡＭＰ１，ＡＭＰ２（図７〜図９）の±からのケーブルの端部を締着自在になっている。
【００３０】
ボイスコイルＶＣ１，ＶＣ２のインピーダンスを共に２Ωとすると、バイアンプ接続（ＢＩ−ＡＭＰ）、直列接続及び並列接続におけるスピーカ２０の入力インピーダンスはそれぞれ次のようになる。すなわち、バイアンプ接続の場合は２＋２Ω、直列接続の場合は４Ω、並列接続の場合は１Ωである。
【００３１】
図７はボイスコイルＶＣ１，ＶＣ２をバイアンプ接続で使用する場合の配線及びヒューズ３２の装着位置を示している。ケーブル６４，６５は、オーディオアンプＡＭＰ１の出力＋，−をそれぞれ端子Ａ１＋，Ａ１−へ接続している。ケーブル６６，６７は、オーディオアンプＡＭＰ２の出力＋，−をそれぞれ端子Ａ２＋，Ａ２−へ接続している。
【００３２】
覆い板７０は、ユーザにより予め、適当な時期に、ヒューズ３２の短手方向へ装着部４８，４９の範囲を覆うように、装着部列４６に位置を固定される。これにより、以降、ユーザは、ボイスコイルＶＣ１，ＶＣ２のバイアンプ接続において、ヒューズ３２を間違って、装着部４８，４９へ装着することなく、正しく、装着部４７，５０に装着することになる。
【００３３】
ボイスコイルＶＣ１，ＶＣ２のバイアンプ接続の場合のオーディオアンプＡＭＰ１，ＡＭＰ２の出力電流はそれぞれ次のように流れる。オーディオアンプＡＭＰ１の出力電流は、ＡＭＰ１＋→端子Ａ１＋→端子ＶＣ１＋→ボイスコイルＶＣ１→端子ＶＣ１−→端子４７ｂ→ヒューズ３２→端子４７ａ→端子Ａ１−→ＡＭＰ１−の順に流れる。また、オーディオアンプＡＭＰ２の出力電流は、ＡＭＰ２＋→端子Ａ２＋→端子５０ａ→ヒューズ３２→端子５０ｂ→端子ＶＣ２＋→ボイスコイルＶＣ２→端子ＶＣ２−→端子Ａ２−→ＡＭＰ２−の順に流れる。このような電流の流れに対して、装着部４７，５０に装着されているヒューズ３２は、それぞれボイスコイルＶＣ１，ＶＣ２の過電流防止の役割を担っている。
【００３４】
図８はボイスコイルＶＣ１，ＶＣ２を直列接続で使用する場合の配線及びヒューズ３２の装着位置を示している。ケーブル６４，６５は、オーディオアンプＡＭＰ１の出力＋，−をそれぞれ端子Ａ１＋，Ａ２−へ接続している。覆い板７０は、ユーザにより予め、適当な時期に、ヒューズ３２の短手方向へ装着部４７，４８の範囲を覆うように、装着部列４６に位置を固定される。これにより、以降、ユーザは、ボイスコイルＶＣ１，ＶＣ２の直列接続において、ヒューズ３２を間違って、装着部４７，４８へ装着することなく、正しく、装着部４９，５０に装着することになる。
【００３５】
ボイスコイルＶＣ１，ＶＣ２の直列接続の場合のオーディオアンプＡＭＰ１の出力電流は次のように流れる。ＡＭＰ１＋→端子Ａ１＋→端子ＶＣ１＋→ボイスコイルＶＣ１→端子ＶＣ１−→端子４９ｂ→ヒューズ３２→端子４９ａ→端子５０ｂ→端子ＶＣ２＋→ボイスコイルＶＣ２→端子ＶＣ２−→端子Ａ２−→ＡＭＰ１−の順に流れる。このような電流の流れに対して、装着部４９に装着されているヒューズ３２は直列接続のボイスコイルＶＣ１，ＶＣ２の過電流防止の役割を担っているが、装着部５０に装着されているヒューズ３２は、端子Ａ２＋が開放状態にあるために、電流は流れず、単に装着部５０に装着されているだけである。しかしながら、ユーザは、余ったヒューズ３２に対して別の保管場所を用意することなく、装着部５０への装着により保管することができるので、管理が楽になるとともに、紛失を有効に防止できる。
【００３６】
図９はボイスコイルＶＣ１，ＶＣ２を並列接続で使用する場合の配線及びヒューズ３２の装着位置を示している。ケーブル６４，６５は、オーディオアンプＡＭＰの出力＋，−をそれぞれ端子Ａ１＋，Ａ２−へ接続している。覆い板７０は、ユーザにより予め、適当な時期に、ヒューズ３２の短手方向へ装着部４９，５０の範囲を覆うように、装着部列４６に位置を固定される。これにより、以降、ユーザは、ボイスコイルＶＣ１，ＶＣ２の並列接続において、ヒューズ３２を間違って、装着部４９，５０へ装着することなく、正しく、装着部４７，４８に装着することになる。
【００３７】
ボイスコイルＶＣ１，ＶＣ２の並列接続の場合のオーディオアンプＡＭＰ１の出力電流は次のように流れる。ボイスコイルＶＣ１への供給電流は、ＡＭＰ１＋→端子Ａ１＋→ＶＣ１＋→ボイスコイルＶＣ１→端子ＶＣ１−→端子４７ｂ→ヒューズ３２→端子４７ａ→端子Ａ２−→ＡＭＰ１−の順に流れる。また、ボイスコイルＶＣ２への供給電流は、ＡＭＰ１＋→端子４８ｂ→ヒューズ３２→端子４８ａ→端子４９ａ→端子５０ｂ→端子ＶＣ２＋→ボイスコイルＶＣ２→端子ＶＣ２−→端子Ａ２−→ＡＭＰ１−の順に流れる。このような電流の流れに対して、装着部４７，４８に装着されているヒューズ３２は、それぞれボイスコイルＶＣ１，ＶＣ２の過電流防止の役割を担っている。
【００３８】
図１０はいわゆるシリパラ接続の場合の入力インピーダンス切替器３０ａ，ｂとオーディオアンプＡＭＰ１との接続関係を示している。シリパラ接続とは、各スピーカでは、ボイスコイルＶＣ１，ＶＣ２が直列（シリアル）接続され、各スピーカは並列（パラレル）に接続され、１個のオーディオアンプＡＭＰ１がそれら２個のスピーカを同時に駆動するものである。図１０の各入力インピーダンス切替器３０ａ，ｂにおいて、図８の入力インピーダンス切替器３０と共通の素子については同符号で指示している。
【００３９】
図１０において、入力インピーダンス切替器３０ａ，ｂは、それぞれのスピーカ（図示せず）に配備され、入力インピーダンス切替器３０ａ，ｂでは、各スピーカのボイスコイルＶＣ１，ＶＣ２を直列接続で使用するため、２個のヒューズ３２は、前述図８の入力インピーダンス切替器３０の場合と同様に、それぞれ装着部４９，５０に装着されている。
【００４０】
ケーブル６４ａ，６５ａはオーディオアンプＡＭＰ１の＋，−を入力インピーダンス切替器３０ａの端子Ａ１＋，Ａ１−へそれぞれ接続している。ケーブル６４ｂ，６５ｂはインピーダンス切替器３０ａの端子Ａ１＋，Ａ２−を入力インピーダンス切替器３０ｂの端子Ａ１＋，Ａ２−へそれぞれ接続している。前述の図５から分かるように、入力インピーダンス切替器３０ａの端子Ａ１−とＡ２−とは短絡しており、ケーブル６５ａは、ＡＭＰ１−を入力インピーダンス切替器３０ａの端子Ａ１−の代わりにＡ２−へ接続してもよい。
【００４１】
図示の入力インピーダンス切替器３０と本発明の各要素との関係等について説明する。スピーカ側端子列４２における端子ＶＣ１＋，ＶＣ１−，ＶＣ２＋，ＶＣ２−は、本発明の複数のスピーカ側端子に対応する。本発明の複数のスピーカ側端子は、スピーカの２個のボイスコイルの各端子へそれぞれ接続されている。
【００４２】
アンプ側端子列４３におけるＡ１＋，Ａ１−，Ａ２＋，Ａ２−は、本発明の複数のアンプ側端子に対応する。本発明の複数のアンプ側端子は、ボイスコイルのバイアンプ接続、直列接続及び並列接続に応じてオーディオアンプの各出力線を接続される。
【００４３】
装着部列４６は本発明の装着部列に対応する。本発明の装着部列では、各装着部が接続導体を着脱自在であり、全装着部の全端子（例：図５の端子４７ａ，４７ｂ，４８ａ，４８ｂ，４９ａ，４９ｂ，５０ａ，５０ｂ）は相互に離れた位置とされつつ、各装着部が接続導体の短手方向へ一列に配列されている。
【００４４】
複数の配線５４は本発明の配線回路に対応する。本発明の配線回路は、ボイスコイルのバイアンプ接続、直列接続及び並列接続が、１個以上の接続導体を各接続に対応する装着部へ装着することにより、切り替わるように、装着部列の端子、スピーカ側端子及びアンプ側端子の間を接続している。
【００４５】
各装着部が接続導体の短手方向へ一列に配列されている結果、装着部列の縮小化、したがって、スピーカ用入力インピーダンス切替装置の小型化が図られる。
【００４６】
ボイスコイルのバイアンプ接続、直列接続及び並列接続のいずれにおいても、その実現のために、１個以上の接続導体が装着部列のいずれかの装着部に装着される必要かあるので、接続導体としてヒューズを採用した場合には、ヒューズ配置用の場所を装着部列とは別に用意する必要を排除できる。
【００４７】
本発明のスピーカ用入力インピーダンス切替装置において、好ましくは、配線回路は、ボイスコイルのバイアンプ接続、直列接続及び並列接続を装着部列へのそれぞれ２個（例：図７の装着部４７，５０）、１個（例：図８の装着部４９）及び２個（例：図９の装着部４７，４８）の接続導体の装着により達成する配線回路となっている。ボイスコイルの直列接続時では、別の１個の装着部（例：図８の装着部５０）が、それへの接続導体の装着にもかかわらず、装着接続導体が無電流状態に維持される配線回路となっている。
【００４８】
こうして、２個の接続導体が、バイアンプ接続、直列接続及び並列接続に対して共通に装着部列における装着を確保されるので、接続導体の保管場所を装着部列とは別に用意する手間を省略できるとともに、接続導体の紛失を抑制できる。
【００４９】
本発明のスピーカ用入力インピーダンス切替装置において、好ましくは、装着部列は計４個の装着部から成る（例：図５の装着部４７，４８，４９，５０）。配線回路は、ボイスコイルのバイアンプ接続及び並列接続達成のために接続導体を装着する２個の装着部を除く他の２個の装着部（例：図７では覆い板７０に隠れている装着部４８，４９、図９では、覆い板７０に隠れている装着部４９，５０）が、及びボイスコイルの直列接続達成のために接続導体を装着する１個の装着部（例：図８の装着部４９）と装着しても接続導体が無電流状態に維持される１個の装着部（例：図８の装着部５０）とを除く他の２個の装着部（例：図８では覆い板７０に隠れている装着部４７，４８）が、装着部列における連続２個の装着部としての非装着列部分となる配線回路となっている。そして、覆い部材（例：図７等の寸法２Ｓ×Ｌの覆い板７０）が、非装着列部分を覆うように、装着されている。
【００５０】
こうして、ボイスコイルのバイアンプ接続、直列接続及び並列接続に対して共通の覆い部材を用いることにより、間違った装着部への接続導体の装着が防止される。また、覆い部材は、どの接続に対しても使用されるので、別の場所に保管したり、紛失したりすることを防止できる。
【００５１】
本発明の典型的な配線回路では、ボイスコイルのバイアンプ接続の場合には、接続導体を装着する２個の装着部を、装着部列一端側から１番目及び４番目の装着部（例：図７の装着部４７，５０）とする。ボイスコイルの並列接続の場合には、接続導体を装着する２個の装着部を、装着部列一端側から１番目及び２番目の装着部（例：図９の装着部４７，４８）とする。ボイスコイルの直列接続の場合には、接続導体を装着する１個の装着部に装着しても接続導体が無電流状態に維持される装着部とを、装着部列一端側から３番目及び４番目の装着部の内の一方（例：図８の装着部４９）及び他方（例：図８の装着部５０）とする。
【００５２】
本発明を各種具体的形態について説明したが、本発明は、これに限定されるものではなく、発明の要旨を逸脱しない範囲で、各種具体的形態における各構成要素を変形（削除も含む。）して具体化できる。また、各種具体的形態間において、構成要素を置換したり、各種具体的形態の複数の構成要素を組み合わせたりすることにより、種々の発明を形成することもできる。
【図面の簡単な説明】
【００５３】
【図１】ボビンの概略斜視図である。
【図２】ボビンを含むスピーカの概略断面図である。
【図３】ヒューズの斜視図である。
【図４】ジャンパ線の斜視図である。
【図５】入力インピーダンス切替器における内外の配線状態を示す図である。
【図６】入力インピーダンス切替器の正面図である。
【図７】ボイスコイルをバイアンプ接続で使用する場合の配線及びヒューズの装着位置を示す図である。
【図８】ボイスコイルを直列接続で使用する場合の配線及びヒューズの装着位置を示す図である。
【図９】ボイスコイルを並列接続で使用する場合の配線及びヒューズの装着位置を示す図である。
【図１０】シリパラ接続の場合の接続関係を示す図である。
【符号の説明】
【００５４】
２０：スピーカ、３０：入力インピーダンス切替器（入力インピーダンス切替装置）、３２：ヒューズ（接続導体）、３６：ジャンパ線（接続導体）、４２：スピーカ側端子列、４３：アンプ側端子列、４６：装着部列、４７：装着部、４８：装着部、４９：装着部、５０：装着部、５４：配線、７０：覆い板、ＶＣ１：ボイスコイル、ＶＣ２：ボイスコイル、ＡＭＰ１：オーディオアンプ、ＡＭＰ２：オーディオアンプ
【図１】
2008109222.tif 000003
【図２】
2008109222.tif 000004
【図３】
2008109222.tif 000005
【図４】
2008109222.tif 000006
【図５】
2008109222.tif 000007
【図６】
2008109222.tif 000008
【図７】
2008109222.tif 000009
【図８】
2008109222.tif 000010
【図９】
2008109222.tif 000011
【図１０】
2008109222.tif 000012